【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
第１グループに含まれる第１ユーザの第１端末とデータの送信または受信を行い、第２グループに含まれる第２ユーザの第２端末とデータの送信または受信を行う端末のコンピュータに実行させるプログラムであって、
前記端末の通信部によって前記第１端末に送信された第１データと、前記通信部によって前記第２端末に送信された第２データとを共通の時系列に基づいて前記端末の表示部に表示することと、
前記端末に対する前記端末のユーザの入力に基づいて、前記第１データを前記第２端末に前記通信部によって送信することとを含む。
【請求項２】
請求項１に記載のプログラムであって、
前記第１データを前記表示部の第１領域に表示し、前記第２データを前記表示部の第２領域に表示することを含む。
【請求項３】
請求項２に記載のプログラムであって、
前記端末に対する前記端末のユーザの入力に基づいて、前記第１データを前記第１領域から消去し、前記第１データを前記第２領域に表示することを含む。
【請求項４】
請求項２または請求項３に記載のプログラムであって、
前記端末に対する前記端末のユーザの入力は、前記第１領域に表示された前記第１データを、前記第２領域に移動させる前記端末のユーザの操作による入力である。
【請求項５】
請求項１から請求項４のいずれか一項に記載のプログラムであって、
前記第２端末に送信される前記第１データは、前記第１端末に送信された時刻に基づき、前記表示部に表示される。
【請求項６】
請求項１から請求項５のいずれか一項に記載のプログラムであって、
前記第１データは、サーバを介して前記第１端末に送信され、
前記第２データは、前記サーバを介して前記第２端末に送信される。
【請求項７】
請求項１から請求項６のいずれか一項に記載のプログラムであって、
前記第１端末から第３データを前記通信部によって受信することと、
前記第２端末から第４データを前記通信部によって受信することと、
前記第３データを前記表示部の第３領域に表示することと、
前記第４データを前記表示部の第４領域に表示することとを含み、
前記第３データと前記第４データとは、前記共通の時系列に基づき、前記表示部に表示される。
【請求項８】
請求項７に記載のプログラムであって、
前記第１領域は、前記表示部の前記第３領域と前記第４領域との間に設定され、
前記第２領域は、前記表示部の前記第３領域と前記第４領域との間に設定される。
【請求項９】
請求項１から請求項８のいずれか一項に記載のプログラムであって、
前記第１データと前記第２データとの間に、前記端末のユーザを示す画像を前記表示部に表示することを含む。
【請求項１０】
請求項１から請求項９のいずれか一項に記載のプログラムであって、
前記第１データは、メッセージ、スタンプ、動画、静止画のうち少なくとも一つを含み、
前記第２データは、メッセージ、スタンプ、動画、静止画のうち少なくとも一つを含む。
【請求項１１】
第１グループに含まれる第１ユーザの第１端末とデータの送信または受信を行い、第２グループに含まれる第２ユーザの第２端末とデータの送信または受信を行う端末の表示方法であって、
前記端末の通信部によって前記第１端末に送信された第１データと、前記通信部によって前記第２端末に送信された第２データとを共通の時系列に基づいて前記端末の表示部に表示することと、
前記端末に対する前記端末のユーザの入力に基づいて、前記第１データを前記第２端末に前記通信部によって送信することとを含む。
【請求項１２】
請求項１１に記載の表示方法であって、
前記第１データを前記表示部の第１領域に表示し、前記第２データを前記表示部の第２領域に表示することを含む。
【請求項１３】
請求項１２に記載の表示方法であって、
前記端末に対する前記端末のユーザの入力に基づいて、前記第１データを前記第１領域から消去し、前記第１データを前記第２領域に表示することを含む。
【請求項１４】
請求項１２または請求項１３に記載の表示方法であって、
前記端末に対する前記端末のユーザの入力は、前記第１領域に表示された前記第１データを、前記第２領域に移動させる前記端末のユーザの操作による入力である。
【請求項１５】
請求項１１から請求項１４のいずれか一項に記載の表示方法であって、
前記第２端末に送信される前記第１データは、前記第１端末に送信された時刻に基づき、前記表示部に表示される。
【請求項１６】
請求項１１から請求項１５のいずれか一項に記載の表示方法であって、
前記第１データは、サーバを介して前記第１端末に送信され、
前記第２データは、前記サーバを介して前記第２端末に送信される。
【請求項１７】
請求項１１から請求項１６のいずれか一項に記載の表示方法であって、
前記第１端末から第３データを前記通信部によって受信することと、
前記第２端末から第４データを前記通信部によって受信することと、
前記第３データを前記表示部の第３領域に表示することと、
前記第４データを前記表示部の第４領域に表示することとを含み、
前記第３データと前記第４データとは、前記共通の時系列に基づき、前記表示部に表示される。
【請求項１８】
請求項１７に記載の表示方法であって、
前記第１領域は、前記表示部の前記第３領域と前記第４領域との間に設定され、
前記第２領域は、前記表示部の前記第３領域と前記第４領域との間に設定される。
【請求項１９】
請求項１１から請求項１８のいずれか一項に記載の表示方法であって、
前記第１データと前記第２データとの間に、前記端末のユーザを示す画像を前記表示部に表示することを含む。
【請求項２０】
請求項１１から請求項１９のいずれか一項に記載の表示方法であって、
前記第１データは、メッセージ、スタンプ、動画、静止画のうち少なくとも一つを含む。
前記第２データは、メッセージ、スタンプ、動画、静止画のうち少なくとも一つを含む。
【請求項２１】
第１グループに含まれる第１ユーザの第１端末とデータの送信または受信を行い、第２グループに含まれる第２ユーザの第２端末とデータの送信または受信を行う端末であって、
第１データを前記第１端末に送信し、第２データを前記第２端末に送信する通信部と、
前記第１端末に送信された第１データと、前記第２端末に送信された第２データとを共通の時系列に基づいて表示する表示部と、
前記端末に対する前記端末のユーザの入力に基づいて、前記第１データを前記第２端末に前記通信部によって送信する制御を行う制御部とを備える。
【請求項２２】
請求項２１に記載の端末であって、
前記表示部は、前記第１データを前記表示部の第１領域に表示し、前記第２データを前記表示部の第２領域に表示する。
【請求項２３】
請求項２２に記載の端末であって、
前記制御部は、前記端末に対する前記端末のユーザの入力に基づいて、前記第１データを前記第１領域から消去し、前記第１データを前記第２領域に表示する。
【請求項２４】
請求項２２または請求項２３に記載の端末であって、
前記端末に対する前記端末のユーザの入力は、前記第１領域に表示された前記第１データを、前記第２領域に移動させる前記端末のユーザの操作による入力である。
【請求項２５】
請求項２１から請求項２４のいずれか一項に記載の端末であって、
前記第２端末に送信される前記第１データは、前記第１端末に送信された時刻に基づき、前記表示部に表示される。
【請求項２６】
請求項２１から請求項２５のいずれか一項に記載の端末であって、
前記第１データは、サーバを介して前記第１端末に送信され、
前記第２データは、前記サーバを介して前記第２端末に送信される。
【請求項２７】
請求項２１から請求項２６のいずれか一項に記載の端末であって、
前記第１端末から第３データを前記通信部によって受信することと、
前記第２端末から第４データを前記通信部によって受信することと、
前記第３データを前記表示部の第３領域に表示することと、
前記第４データを前記表示部の第４領域に表示することとを含み、
前記第３データと前記第４データとは、前記共通の時系列に基づき、前記表示部に表示される。
【請求項２８】
請求項２７に記載の端末であって、
前記第１領域は、前記表示部の前記第３領域と前記第４領域との間に設定され、
前記第２領域は、前記表示部の前記第３領域と前記第４領域との間に設定される。
【請求項２９】
請求項２１から請求項２８のいずれか一項に記載の端末であって、
前記表示部は、前記第１データと前記第２データとの間に、前記端末のユーザを示す画像を表示する。
【請求項３０】
請求項２１から請求項２９のいずれか一項に記載の端末であって、
前記第１データは、メッセージ、スタンプ、動画、静止画のうち少なくとも一つを含み、
前記第２データは、メッセージ、スタンプ、動画、静止画のうち少なくとも一つを含む。
【手続補正２】
【補正対象書類名】明細書
【補正対象項目名】発明の名称
【補正方法】変更
【補正の内容】
【発明の名称】プログラム、表示方法、および端末
【手続補正３】
【補正対象書類名】明細書
【補正対象項目名】０００８
【補正方法】変更
【補正の内容】
【０００８】
本発明の一実施形態に係るプログラムは、第１グループに含まれる第１ユーザの第１端末とデータの送信または受信を行い、第２グループに含まれる第２ユーザの第２端末とデータの送信または受信を行う端末のコンピュータに実行させるプログラムであって、前記端末の通信部によって前記第１端末に送信された第１データと、前記通信部によって前記第２端末に送信された第２データとを共通の時系列に基づいて前記端末の表示部に表示することと、前記端末に対する前記端末のユーザの入力に基づいて、前記第１データを前記第２端末に前記通信部によって送信することとを含む。
また、本発明の一実施形態に係る表示方法は、第１グループに含まれる第１ユーザの第１端末とデータの送信または受信を行い、第２グループに含まれる第２ユーザの第２端末とデータの送信または受信を行う端末の表示方法であって、前記端末の通信部によって前記第１端末に送信された第１データと、前記通信部によって前記第２端末に送信された第２データとを共通の時系列に基づいて前記端末の表示部に表示することと、前記端末に対する前記端末のユーザの入力に基づいて、前記第１データを前記第２端末に前記通信部によって送信することとを含む。
また、本発明の一実施形態に係る端末は、第１グループに含まれる第１ユーザの第１端末とデータの送信または受信を行い、第２グループに含まれる第２ユーザの第２端末とデータの送信または受信を行う端末であって、第１データを前記第１端末に送信し、第２データを前記第２端末に送信する通信部と、前記第１端末に送信された第１データと、前記第２端末に送信された第２データとを共通の時系列に基づいて表示する表示部と、前記端末に対する前記端末のユーザの入力に基づいて、前記第１データを前記第２端末に前記通信部によって送信する制御を行う制御部とを備える。